(57)【要約】  本願はスイッチング装置の技術分野に関し、特にアダプタ筐体及びアダプタに関する。アダプタ筐体（１０１）は回路基板（５０）を設置することに用いられ、第１筐体（１０）、第２筐体（２０）、及び摺動板（３０）を備える。第１筐体（１０）は第１底板（１１）、及び第１環状側板（１２）を備える。第２筐体（２０）は第２底板（２１）、及び第２環状側板（２２）を備える。摺動板（３０）は第２底板（２１）に可動に接続され、摺動板（３０）と第２環状側板（２２）はそれぞれ第２底板（２１）の両側に位置する。第１環状側板（１２）と第２環状側板（２２）が取り外し可能に套接され、回路基板（５０）を設置するための収容室（６０）を形成する。第２底板（２１）の板面には、収容室（６０）と連通し且つ部品をピックアンドプレースするための連通孔（２８）が設けられ、摺動板（３０）は連通孔（２８）の孔口を取り外し可能に覆っている。本願は摺動板（３０）を開けることで、連通孔（２８）を介して収容室（６０）内の部品の整理及びメンテナンスを行うことができる。
2021503708.tif 000002
【特許請求の範囲】
【請求項１】
回路基板を設置することに用いられるアダプタ筐体であって、
第１底板、及び前記第１底板に接続される第１環状側板を備える第１筐体と、
第２底板、及び前記第２底板に接続される第２環状側板を備える第２筐体と、
前記第２底板に可動に接続され、前記第２環状側板とそれぞれ前記第２底板の両側に位置する摺動板と、を備え、
前記第１環状側板と前記第２環状側板は取り外し可能に套接され、前記第１環状側板と前記第２環状側板は前記第１底板と前記第２底板との間に位置して、回路基板を設置するための収容室を形成し、前記第２底板の板面に、前記収容室と連通し且つ部品をピックアンドプレースするための連通孔が設けられ、前記摺動板は前記連通孔の孔口を取り外し可能に覆っていることを特徴とするアダプタ筐体。
【請求項２】
前記第１環状側板と前記第２環状側板を取り外し可能に接続する係止構造をさらに備えることを特徴とする請求項１に記載のアダプタ筐体。
【請求項３】
前記係止構造は、前記第１環状側板の内側壁に設けられる複数のメス部、及び前記第２環状側板の外側壁に凸設される複数のオス部を備え、前記オス部は前記メス部にマッチングし且つ１対１で対応して係止されることを特徴とする請求項２に記載のアダプタ筐体。
【請求項４】
前記第２底板の板面に収容溝が設けられ、前記連通孔の孔口は前記収容溝の底に位置し、前記摺動板は前記収容溝に設置され且つ前記収容溝の延伸方向に往復摺動可能であり、それにより前記連通孔を開閉することを特徴とする請求項１に記載のアダプタ筐体。
【請求項５】
前記収容溝の両側壁にそれぞれ摺動溝が設けられ、前記摺動溝の延伸方向は前記収容溝の延伸方向と同じであり、前記摺動板は板本体、及び前記板本体の両側に凸設される２つのスライダーを備え、各前記スライダーはそれぞれ対応する前記摺動溝に摺接されることを特徴とする請求項４に記載のアダプタ筐体。
【請求項６】
各前記摺動溝の底にそれぞれ位置決めバンプが凸設され、各前記スライダーにそれぞれ前記位置決めバンプにマッチングする位置決め孔が設けられることを特徴とする請求項５に記載のアダプタ筐体。
【請求項７】
前記摺動溝の幅は前記板本体の厚さ未満であることを特徴とする請求項５に記載のアダプタ筐体。
【請求項８】
前記板本体の外を向く板面は前記第２底板の外を向く板面と面一になっていることを特徴とする請求項５に記載のアダプタ筐体。
【請求項９】
前記板本体には、前記板本体を動かすためのシフトブロック部が設けられることを特徴とする請求項５に記載のアダプタ筐体。
【請求項１０】
前記第１底板と前記第２環状側板が囲んで第１チャンバーを形成し、前記第１チャンバーの開口部に環状制限溝が設けられ、前記第２底板の周縁は前記環状制限溝の底に当接していることを特徴とする請求項１に記載のアダプタ筐体。
【請求項１１】
前記第１環状側板には、外部の電源を差し込むための充電ポートが設けられることを特徴とする請求項１に記載のアダプタ筐体。
【請求項１２】
前記第１環状側板には、外部の表示装置を差し込むための高解像度ポートがさらに設けられ、前記高解像度ポートと前記充電ポートは前記アダプタ筐体の同一側に位置することを特徴とする請求項１１に記載のアダプタ筐体。
【請求項１３】
前記第１環状側板には、外部のフラッシュメモリ装置を差し込むための複数のＵＳＢポートがさらに設けられ、前記ＵＳＢポートは前記充電ポートと前記高解像度ポートとの間に位置することを特徴とする請求項１３に記載のアダプタ筐体。
【請求項１４】
前記アダプタ筐体と、前記収容室内に設置される回路基板と、収容室内に位置し且つ前記回路基板に取り外し可能に接続されるソリッドステートストレージチップと、前記回路基板を外部装置に接続するプラグと、前記プラグと前記回路基板とを接続するケーブルを備えることを特徴とするアダプタ。
【請求項１５】
前記収容室内に位置し且つ前記第２側板に取り外し可能に接続され、前記回路基板を固定して支持する支持筐体をさらに備えることを特徴とする請求項１４に記載のアダプタ。
【発明の詳細な説明】
【技術分野】
【０００１】
本願はスイッチング装置の技術分野に関し、特にアダプタ筐体及びアダプタに関する。
【背景技術】
【０００２】
従来、アダプタは、ＵＳＢフラッシュドライブ又はソリッドステートストレージチップをコンピュータ又は携帯電話に接続するためのものである。アダプタは、通常、一体成形された筐体を有し、ＵＳＢフラッシュドライブ又はソリッドステートストレージチップがアダプタの一端に差し込まれ、アダプタの他端はコンピュータ又は携帯電話に差し込まれ、それによりコンピュータ又は携帯電話がＵＳＢフラッシュドライブ又はソリッドステートストレージチップを読み取ることに有利である。一体成形された筐体はアダプタのコンパクト化及び安定的な動作に有利である。
【０００３】
一方、一体成形された筐体は、アダプタの内部クリーニング及び部品のメンテナンスに不利である。
【発明の概要】
【発明が解決しようとする課題】
【０００４】
本願は、アダプタ筐体が取り外し不能であるため、アダプタ筐体内に収納されたデバイスのクリーニング及びメンテナンス、交換が不便であるという問題を解決するために、アダプタ筐体を提供することを目的とする。
【課題を解決するための手段】
【０００５】
本願は以下のように実現される。アダプタ筐体であって、回路基板を設置することに用いられ、
第１底板、及び前記第１底板に接続される第１環状側板を備える第１筐体と、
第２底板、及び前記第２底板に接続される第２環状側板を備える第２筐体と、
前記第２底板に可動に接続され、前記第２環状側板とそれぞれ前記第２底板の両側に位置する摺動板と、を備え、
前記第１環状側板と前記第２環状側板は取り外し可能に套接され、前記第１環状側板と前記第２環状側板は前記第１底板と前記第２底板との間に位置して、回路基板を設置するための収容室を形成し、前記第２底板の板面に、前記収容室と連通し且つ部品をピックアンドプレースするための連通孔が設けられ、前記摺動板は前記連通孔の孔口を取り外し可能に覆っている。
【０００６】
更に、前記アダプタ筐体は、前記第１環状側板と前記第２環状側板を取り外し可能に接続する係止構造をさらに備える。
【０００７】
更に、前記係止構造は、前記第１環状側板の内側壁に設けられる複数のメス部、及び前記第２環状側板の外側壁に凸設される複数のオス部を備え、前記オス部は前記メス部にマッチングし且つ１対１で対応して係止される。
【０００８】
更に、前記第２底板の板面に収容溝が設けられ、前記連通孔の孔口は前記収容溝の底に位置し、前記摺動板は前記収容溝に設置され且つ前記収容溝の延伸方向に往復摺動可能であり、それにより前記連通孔を開閉する。
【０００９】
更に、前記収容溝の両側壁にそれぞれ摺動溝が設けられ、前記摺動溝の延伸方向は前記収容溝の延伸方向と同じであり、前記摺動板は板本体、及び前記板本体の両側に凸設される２つのスライダーを備え、各前記スライダーはそれぞれ対応する前記摺動溝に摺接される。
【００１０】
更に、各前記摺動溝の底にそれぞれ位置決めバンプが凸設され、各前記スライダーにそれぞれ前記位置決めバンプにマッチングする位置決め孔が設けられる。
【００１１】
更に、前記摺動溝の幅は前記板本体の厚さ未満である。
【００１２】
更に、前記板本体の外を向く板面は前記第２底板の外を向く板面と面一になっている。
【００１３】
更に、前記板本体には、前記板本体を動かすためのシフトブロック部が設けられる。
【００１４】
更に、前記第１底板と前記第２環状側板が囲んで第１チャンバーを形成し、前記第１チャンバーの開口部に環状制限溝が設けられ、前記第２底板の周縁が前記環状制限溝の底に当接している。
【００１５】
更に、前記第１環状側板には、外部の電源を差し込むための充電ポートが設けられる。
【００１６】
更に、前記第１環状側板には、外部の表示装置を差し込むための高解像度ポートがさらに設けられ、前記高解像度ポートと前記充電ポートは前記アダプタ筐体の同一側に位置する。
【００１７】
更に、前記第１環状側板には、外部のフラッシュメモリ装置を差し込むための複数のＵＳＢポートがさらに設けられ、前記ＵＳＢポートは前記充電ポートと前記高解像度ポートとの間に位置する。
【００１８】
本実施例はアダプタをさらに提供し、前記アダプタ筐体と、前記収容室内に設置される回路基板と、収容室内に位置し且つ前記回路基板に取り外し可能に接続されるソリッドステートストレージチップと、前記回路基板を外部装置に接続するプラグと、前記プラグと前記回路基板とを接続するケーブルを備える。
【００１９】
更に、前記アダプタは、前記収容室内に位置し且つ前記第２側板に取り外し可能に接続され、前記回路基板を固定して支持する支持筐体をさらに備える。
【発明の効果】
【００２０】
本願の技術的効果は、第１筐体と第２筐体が取り外し可能に接続されることであり、具体的には、第１底板、第１環状側板、第２環状側板及び第２底板が順に接続して設置される。第１環状側板と第２環状側板は取り外し可能に套接され、それにより第１筐体と第２筐体が囲んで収容室を形成する。連通孔は第２底板に設けられ且つ収容室と連通し、摺動板は接続孔を取り外し可能に覆っている。摺動板を開けることで、連通孔を介して収容室内の部品の整理及びメンテナンスを行うことができる。
【図面の簡単な説明】
【００２１】
【図１】図１は本願の実施例に係るアダプタの構造模式図である。
【図２】図２は図１のアダプタの摺動板の開放状態での構造模式図である。
【図３】図３は図１のアダプタの分解図である。
【図４】図４は図３のＡ部の部分拡大図である。
【図５】図５は本願の別の実施例に係るアダプタの構造模式図である。
【発明を実施するための形態】
【００２２】
以下、本願の実施例を詳細に説明し、前記実施例の例示を図面に示すが、全明細書を通して同一又は類似の符号は同一又は類似の要素、又は同一又は類似の機能を有する要素を示す。以下図面を参照して説明される実施例は例示的であり、本願を説明するためのものであり、本願を限定しない。
【００２３】
図１〜図３に示すように、本願の実施例はアダプタ筐体１０１及びそれを備えるアダプタ１００を提供する。アダプタ１００は携帯型記憶デバイスを、コンピュータ又は携帯電話に接続するためのものである。アダプタ筐体１０１は取り外し可能である特徴を有し、それによりアダプタ１００の内部の整理及び部品のメンテナンスを容易に行うことができる。
【００２４】
アダプタ１００は、アダプタ筐体１０１と、収容室６０内に設置される回路基板５０と、回路基板５０に接続されるソリッドステートストレージチップと、回路基板５０を外部装置に接続するプラグ１０３と、プラグ１０３と回路基板５０とを接続するケーブル１０２を備える。
【００２５】
アダプタ筐体１０１は、回路基板５０を収納し、第１筐体１０、第２筐体２０、及び摺動板３０を備える。第１筐体１０は第１底板１１、及び第１底板１１に接続される第１環状側板１２を備える。好ましくは、第１底板１１は長方形板であり、第１環状側板１２の形状は第１底板１１にマッチングする。本実施例では、第１底板１１と第１環状側板１２はプラスチック材料によって一体射出成形される。第２筐体２０は第２底板２１、及び第２底板２１に接続される第２環状側板２２を備える。好ましくは、第２底板２１は長方形板であり、第２環状側板２２の形状は第２底板２１にマッチングする。本実施例では、第２底板２１と第２環状側板２２はプラスチック材料によって一体射出成形される。摺動板３０は第２底板２１に可動に接続され、摺動板３０と第２環状側板２２はそれぞれ底板の両側に位置する。好ましくは、摺動板３０もプラスチック材料によって一体射出成形される。第１環状側板１２と第２環状側板２２は取り外し可能に套接される。すなわち、第１環状側板１２は第２環状側板２２内に套接され、又は第２環状側板２２は第１環状側板１２内に套接される。本実施例では、第１環状側板１２は第２環状側板２２内に套接される。第１環状側板１２と第２環状側板２２は第１底板１１と第２底板２１との間に位置して、回路基板５０を設置するための収容室６０を形成し、第２底板２１の板面に、収容室６０と連通し且つ部品をピックアンドプレースするための連通孔２８が設けられ、摺動板３０は連通孔２８の孔口を取り外し可能に覆っている。
【００２６】
図１〜図３を参照すると、本願の技術的効果は、第１筐体１０と第２筐体２０は取り外し可能に接続されることであり、具体的には、第１底板１１、第１環状側板１２、第２環状側板２２及び第２底板２１が順に接続して設置される。第１環状側板１２と第２環状側板２２は取り外し可能に套接され、それにより第１筐体１０と第２筐体２０が囲んで収容室６０を形成する。連通孔２８が第２底板２１に設けられ且つ収容室６０と連通し、摺動板３０は接続孔を取り外し可能に覆っている。摺動板３０を開けることで、連通孔２８を介して収容室６０内の部品の整理及びメンテナンスを行うことができる。
【００２７】
アダプタ筐体１０１は係止構造をさらに備え、第１環状側板１２と第２環状側板２２は係止構造によって取り外し可能に套接される。係止構造によって、第１筐体１０と第２筐体２０が取り外し可能に接続され、後続のメンテナンス及び整理に有利である。
【００２８】
係止構造は、第１環状側板１２の内側壁に設けられる複数のメス部１５、及び第２環状側板２２の外側壁に凸設される複数のオス部２４を備え、オス部２４はメス部１５にマッチングし且つ１対１で対応して係止される。好ましくは、メス部１５は角型溝構造であり、オス部２４の一端は角型溝に挿入されて、第１筐体１０と第２筐体２０を接続する。
【００２９】
図１〜図３に示すように、第２底板２１の板面に収容溝２３が設けられ、連通孔２８の孔口は収容溝２３の底に位置し、摺動板３０が収容溝２３に設置され且つ収容溝２３の延伸方向に往復摺動可能であり、それにより連通孔２８を開閉する。摺動板３０が収容溝２３内に設置されることで、アダプタ筐体１０１の全厚さの低減に有利であり、アダプタ１００は持ち運びやすく、占有スペースが小さい。
【００３０】
収容溝２３の両側壁にそれぞれ摺動溝が設けられ、摺動溝の延伸方向は収容溝２３の延伸方向と同じであり、摺動板３０は板本体３１、及び板本体３１の両側に凸設される２つのスライダー３２を備え、各スライダー３２はそれぞれ対応する摺動溝に摺接される。２つのスライダー３２は摺動溝内を摺動して、板本体３１をガイドして連通孔２８を開閉し、それにより摺動板３０の摺動の安定性を向上させる。
【００３１】
図４に示すように、各摺動溝の底にそれぞれ位置決めバンプが凸設され、各スライダー３２にそれぞれ位置決めバンプにマッチングする位置決め孔３２１が設けられる。位置決め孔３２１の位置は位置決めバンプの位置に一致しする。すなわち、摺動板３０が収容溝２３内を摺動して連通孔２８を閉鎖した後、各位置決めバンプが対応する位置決め孔３２１内に係止され、それにより該状態での収容溝２３内における摺動板３０の安定性を向上させる。
【００３２】
摺動溝の幅は板本体３１の厚さ未満であり、板本体３１は収容溝２３の壁に当接し、それにより第２底板２１と摺動板３０とを密接に接続する。
【００３３】
板本体３１の外を向く板面は第２底板２１の外を向く板面と面一になっている。板本体３１の板面が第２底板２１の板面と面一になるように設置されることで、アダプタ筐体１０１が机に置かれる時、アダプタ１００の安定性の向上に有利である。
【００３４】
図１〜図３に示すように、板本体３１には、板本体３１を動かすためのシフトブロック部３３が設けられ、シフトブロック部３３によって、手と摺動板３０との間の摩擦力を増加させ、取り外しを容易にすることに有利である。
【００３５】
第１底板１１と第２環状側板２２は囲んで第１チャンバー１１１を形成し、第１チャンバー１１１の開口部に環状制限溝１４が設けられ、第２底板２１の周縁は環状制限溝１４の底に当接している。環状制限溝１４は第１チャンバー１１１の内側壁に設けられ且つ「Ｌ」型であり、第２底板２１の四周側面が環状制限溝１４の壁に当接する。すなわち、第２底板２１は環状制限溝１４内に嵌入されている。
【００３６】
収容室６０は第１チャンバー１１１及び第２チャンバーを備える。第２チャンバーは第２底板２１及び第２環状側板２２で囲まれて形成され、連通孔２８は第２チャンバーと連通する。
【００３７】
第１環状側板１２には、外部の電源を差し込むための充電ポート１６が設けられる。収容室６０内に、回路基板５０に給電するための充電可能電源が設置され、充電ポート１６によって充電可能電源を充電できる。充電ポート１６のタイプはＴＹＰＥ−Ｃポートである。
【００３８】
第１環状側板１２には、外部の表示装置を差し込むための高解像度ポート１８がさらに設けられ、高解像度ポート１８と充電ポート１６はアダプタ筐体１０１の同一側に位置する。高解像度ポート１８によって、アダプタ１００を外部のディスプレイに接続でき、それによりコンピュータ又は携帯電話におけるコンテンツを該ディスプレイに投影し、更にアダプタ１００の利便性を向上させる。
【００３９】
図５に示すように、他の例では、高解像度ポート１８はプラグ１０３と対向して設置されてもよい。すなわち、プラグ１０３がアダプタ筐体１０１の一端で回路基板５０に接続され、高解像度ポート１８はアダプタ筐体１０１の他端に設けられる。好ましくは、プラグ１０３のタイプはＴＹＰＥ−Ｃポートであり、ＴＹＰＥ−Ｃポートによって、複数のモバイルストレージデバイスコンピュータ又は携帯電話に接続することができる。
【００４０】
第１環状側板１２には、外部のフラッシュメモリ装置を差し込むための複数のＵＳＢポート１７がさらに設けられ、ＵＳＢポート１７は充電ポート１６と高解像度ポート１８との間に位置する。具体的には、ＵＳＢポート１７が２つ設けられ、２つのＵＳＢポート１７が間隔をあけて設置され且つともに充電ポート１６と高解像度ポート１８との間に位置する。
【００４１】
アダプタ１００は、収容室６０内に位置し、且つ第２側板に取り外し可能に接続され、回路基板５０を固定して支持する支持筐体４０をさらに備える。具体的には、支持筐体４０は第２チャンバー内に位置し、回路基板５０は支持筐体４０に螺合され、好ましくは、回路基板５０と支持筐体４０を組み立てた後、収容室６０内に装着し、それによりアダプタ１００の組み立ての利便性を向上させる。
【００４２】
以上、本願の好適な実施例を説明したが、本願を限定するものではなく、本願の趣旨及び原則を逸脱せずに行われる変更、同等置換や改良等はすべて、本願の保護範囲に属する。
【符号の説明】
【００４３】
１００  アダプタ
１０１  アダプタ筐体
１０２  ケーブル
１０３  プラグ
１０  第１筐体
２０  第２筐体
３０  摺動板
３１  板本体
３２  スライダー
６０  収容室
３３  シフトブロック部
２１  第２底板
２２  第２環状側板
２３  収容溝
２８  連通孔
２４  オス部
５０  回路基板
４０  支持筐体
１１  第１底板
１２  第１環状側板
１４  環状制限溝
１５  メス部
１６  充電ポート
１７  ＵＳＢポート
１８  高解像度ポート
１１１  第１チャンバー
３２１  位置決め孔
【図１】
2021503708.tif 000003
【図２】
2021503708.tif 000004
【図３】
2021503708.tif 000005
【図４】
2021503708.tif 000006
【図５】
2021503708.tif 000007
【国際調査報告】
2021503708.tif 000008
2021503708.tif 000009
2021503708.tif 000010
2021503708.tif 000011